(57)【要約】【課題】無線タグや物品等を損傷することなく、容易に無線タグを回収し、再利用しやすくすることのできる無線タグパッケージを提供する。【解決手段】ベースシートの裏面にはパッケージを郵便物や配送物等に貼り付けるための粘着剤が塗布されている。カバーシートのベースシートに対向する面には、無線タグを固着し、かつカバーシートをベースシートに貼り付けるための粘着剤が塗布されている。カバーシートに塗布される粘着剤は、無線タグの貼り付け領域のタグの大きさより、若干狭い領域には、塗布していない。【選択図】図１
2006268692.tif 000002
【特許請求の範囲】
【請求項１】
無線タグと、
表面の一辺に沿った所定領域に前記無線タグを載置し、裏面には粘着剤が塗布されるベースシートと、
前記無線タグが載置されたベースシートの表面に前記一辺に沿って貼着されるカバーシートと、
からなる無線タグパッケージであって、
前記カバーシートは、前記ベースシートに対向する面に、前記所定領域から無線タグの両端部を除いた領域以外の略全面に粘着剤が塗布されることを特徴とする無線タグパッケージ。
【請求項２】
裏面に粘着剤が塗布されるベースシートとカバーシートとの重ね合わせ内面に、前記ベースシートあるいは前記カバーシートの一辺に沿って無線タグがその両端部のみ粘着された状態で封入され、前記無線タグの封入領域を除いて前記ベースシートと前記カバーシート重ね合わせ内面が粘着剤層を介して接合されていることを特徴とする無線タグパッケージ。
【請求項３】
前記ベースシート及び／又は前記カバーシートは、紙製シート、合成樹脂製フィルム、合成樹脂製シート、あるいはこれらの複合シ−ト材のいずれかであることを特徴とする請求項１又は２記載の無線タグパッケージ。
【請求項４】
前記粘着剤は、ウレタン系粘着剤であることを特徴とする請求項１乃至３のいずれか１項に記載の無線タグパッケージ。
【発明の詳細な説明】
【技術分野】
【０００１】
本発明は、無線タグパッケージに関し、特に無線タグを再利用しやすくした無線タグパッケージに関する。
【背景技術】
【０００２】
近年、固有の無線ＩＤが設定されるとともに、情報の書き換え可能なメモリエリアを有し、無線を利用して非接触で無線ＩＤの読み出しや任意の情報の書き込み及び読み出しができる無線データキャリアが利用されている。
【０００３】
例えば、郵便物や配送物等にそれぞれ固有の無線ＩＤを有する無線データキャリアを貼付あるいは内蔵させて、移動体の識別を行っている。
【０００４】
一旦使用された無線タグは、そのまま廃却するのは適切でないことから、基材で挟み込み加工した無線タグ封入体を用意し、使用後に、無線タグ封入体内から、中身の無線タグを取り出し回収して、再利用するものが提案されている（例えば、特許文献１参照。）。
【特許文献１】特開２００２−１５７５６９号公報
【発明の開示】
【発明が解決しようとする課題】
【０００５】
上記した特許文献１提案のものでは、封入体内の無線タグは固着されている状態ではないので、封入体内で動いた無線タグが損傷を受け、安定した交信ができないことがあった。
【０００６】
また、封入体を破って無線タグを回収するため、封入体が貼付された郵便物や配送物等自体を損傷してしまうことがあった。
【０００７】
さらに、無線タグの一部が剥き出しの封入体では、無線タグを傷つけやすいという問題があった。
【０００８】
本発明は、上記事情によりなされたもので、無線タグや無線タグが貼付される物品等を損傷することなく、容易に無線タグを回収し、再利用しやすくすることのできる無線タグパッケージを提供することを目的とするものである。
【課題を解決するための手段】
【０００９】
本発明の請求項１によれば、無線タグと、表面の一辺に沿った所定領域に前記無線タグを載置し、裏面には粘着剤が塗布されるベースシートと、前記無線タグが載置されたベースシートの表面に前記一辺に沿って貼着されるカバーシートと、からなる無線タグパッケージであって、前記カバーシートは、前記ベースシートに対向する面に、前記所定領域から無線タグの両端部を除いた領域以外の略全面に粘着剤が塗布されることを特徴とする無線タグパッケージを提供する。
【００１０】
本発明の請求項２によれば、裏面に粘着剤が塗布されるベースシートとカバーシートとの重ね合わせ内面に、前記ベースシートあるいは前記カバーシートの一辺に沿って無線タグがその両端部のみ粘着された状態で封入され、前記無線タグの封入領域を除いて前記ベースシートと前記カバーシート重ね合わせ内面が粘着剤層を介して接合されていることを特徴とする無線タグパッケージを提供する。
【００１１】
本発明の請求項３によれば、前記ベースシート及び／又は前記カバーシートは、紙製シート、合成樹脂製フィルム、合成樹脂製シート、あるいはこれらの複合シ−ト材のいずれかであることを特徴とする請求項１又は２記載の無線タグパッケージを提供する。
【００１２】
本発明の請求項４によれば、前記粘着剤は、ウレタン系粘着剤であることを特徴とする請求項１乃至３のいずれか１項に記載の無線タグパッケージを提供する。
【発明の効果】
【００１３】
本発明によれば、無線タグや物品等を損傷することなく、容易に無線タグを回収し、再利用しやすくすることのできる無線タグパッケージが得られる。
【発明を実施するための最良の形態】
【００１４】
本発明の実施の形態に関わる無線タグパッケージについて、図面を参照しながら説明する。尚、同一部分には、同一の符号を付している。図１は無線タグパッケージの構成を示す概略図である。図２は無線タグパッケージの模式断面図である。
【００１５】
図１に示すように、無線タグパッケージは、無線タグ１と、ベースシート２とカバーシート３で構成されている。
【００１６】
無線タグ１は、無線データキャリアの一種であり、送受信可能なタグアンテナとＩＣチップとを基板に一体成形した独立の部品である。ＩＣチップには、タグアンテナで受信した変調電波の整流と安定化を行うことによりＩＣチップの各部に電源を供給する電源生成部、変調電波を復調して制御部へ送出する復調部、制御部から送出されたデータを変調してタグアンテナに送出する変調部、復調部で復調されたデータのメモリへの書き込みやメモリから送信データを読み出して変調部へ送出する制御部及びメモリが設けられている。
【００１７】
メモリは、当該無線タグの製造段階で製造業者により割当て設定された固有の無線ＩＤを記憶する無線ＩＤエリアと、ユーザが任意のデータを書き込むことができるユーザエリアとから成る。ユーザエリアには当該無線タグが貼付された物品あるいは配送物等の固有の追跡管理用コードが記録されている。
【００１８】
無線タグ読取り装置は、送受信アンテナを具備しており、この送受信アンテナの交信エリア内にある無線タグのメモリデータを非接触で読み取るものである。無線タグ読取り装置は、例えばパソコン等の上位装置に接続され、データの授受を行うインタフェース部と、無線タグとの通信や接続するハードウエアを制御するＣＰＵ、動作プログラムを記憶したＲＯＭ、データを一時的に記憶するＲＡＭ等で構成される制御部と、制御部から与えられるデータを無線通信に適した変調信号に変調する変調部と、変調信号を増幅して送受信アンテナから電波として放射させる送信アンプと、アンテナユニットで受信した電波信号を増幅する受信アンプと、増幅された電波信号からデータを復調して制御部に与える復調部とから構成されている。
【００１９】
無線タグとの交信を行う際には、まず、キヤリア信号を送信部で変調して電力用電波信号として送信アンテナから送信し、その後、送信すべきデータを電力用電波信号に重畳するように送信部で変調して送信アンテナから送信する。
【００２０】
図２に示すように、ベースシート２の裏面には無線タグパッケージ１０を郵便物や配送物等に貼り付けるための粘着剤４が塗布されている。ベースシート２の表面の一辺に沿った所定領域に無線タグ１が載置される。無線タグが載置されたベースシートの表面には、該一辺に沿ってカバーシートが貼着される。
【００２１】
図３は、無線タグパッケージ１０の粘着を説明する図であって、図３（Ａ）は無線タグの側面側から見たもので、図３（Ｂ）はＸ−Ｘ断面である。図３に示すように、カバーシート３は、ベースシート２に対向する面に、上記所定領域から無線タグ１の両端部を除いた領域以外の略全面に粘着剤４が塗布される。
【００２２】
すなわち、カバーシート３に塗布される粘着剤４は、無線タグ１の貼り付け領域のタグの大きさより、若干狭い領域には、塗布していない。無線タグ１とカバーシート３は、無線タグ１の両端部のみで、貼り付けられる。無線タグ１自体には、粘着剤４を塗布しない。再利用しにくくなるからである。無線タグ１は、カバーシート３とベースシート２の間で、フリーの状態ではないから、動いた無線タグ１が損傷を受け、安定した交信ができなくなるという虞がない。
【００２３】
このことにより、無線タグ１を固着したパッケージ１０を郵便物や配送物等に貼着する際、あるいはそれら物品の取り扱う際でも、無線タグ１のズレを防止することができる。さらに、無線タグ１は、カバーシート３とベースシート２の間で、全面に亘って粘着されていないので、パッケージ１０から外しやすくなり、無線タグ１を損傷する恐れなく、再利用が可能になる。
【００２４】
ベースシート２、カバーシート３の材質については、電気的絶縁性の、紙製シート、合成樹脂製フィルム、合成樹脂製シート、あるいはこれらの複合シ−ト材等が好適である。
【００２５】
粘着剤については、貼って剥がせる粘着剤の方が、回収の際、無線タグを損傷する恐れが少ないので、例えばウレタン系粘着剤が好適である。
【００２６】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２７】
【図１】本発明の実施の形態に係る無線タグパッケージの構成を示す概略図である。
【図２】本発明の実施の形態に係る無線タグパッケージの模式断面図である。
【図３】無線タグパッケージの粘着を説明する図である。
【符号の説明】
【００２８】
１・・・無線タグ、２・・・ベースシート、３・・・カバーシート、４・・・粘着材、１０・・・無線タグパッケージ。
【図１】
2006268692.tif 000003
【図２】
2006268692.tif 000004
【図３】
2006268692.tif 000005